(57)【要約】【課題】換気装置本体に装着される換気ルーバーにおいて、可動ルーバーを簡単な構造で可動パネルを開閉することを目的とする。【解決手段】換気ルーバー１３は、換気装置本体に装着される前面を開口したルーバー枠１４と、このルーバー枠１４の下部で軸支され、ルーバー枠１４の前面を覆う可動ルーバー１５、そして可動ルーバー１５の裏面には、ルーバー枠１４に設けた保持解除機構２４に直接係合する保持部２２を設けたという構成にしたことにより、可動ルーバー１５は保持部２２が保持解除機構２４により保持されて換気ルーバー１３が閉まり、保持解除機構２４により保持が解除されると可動ルーバー１５の自重により軸支部を軸に可動ルーバー１５が回動して開くことにとなるので、駆動機構を必要とせず、簡単な構造で可動パネルを開閉できる換気装置を得られる。【選択図】図１
2012255620.tif 000002
【特許請求の範囲】
【請求項１】
室内と室外を導通する通風路の室内壁側に換気ルーバーを装着した換気装置あって、
前記換気ルーバーは、換気装置本体に装着される前面を開口したルーバー枠と、このルーバー枠の下部で軸支され、ルーバー枠の前面を覆う可動ルーバーとで構成され、
前記可動ルーバーが前記ルーバー枠を塞ぐ位置において、前記可動ルーバーの重心位置から前記壁面までの水平距離が前記ルーバー枠の軸支部から前記壁面までの水平距離よりも大きく、
前記可動ルーバーの裏面には、前記ルーバー枠に設けた保持解除機構に直接係合する保持部を設けた換気装置。
【請求項２】
前記可動ルーバーの裏面に設けた保持部の先端に保持部フックを形成し、前記保持解除機構は前記保持部を保持するように先端に保持解除フックを形成し、前記ルーバー枠に軸支される中間支点を介して他端をレバーとした構成の請求項１記載の換気装置。
【請求項３】
前記レバーを前記ルーバー枠の下面中央付近に設けた請求項１記載の換気装置。
【請求項４】
前記保持解除機構が前記レバーを操作し前記保持部を解除した後、正規の位置に復帰するように、前記保持解除機構にスプリングを設けた請求項１記載の換気装置。
【請求項５】
前記可動ルーバーは、前記保持解除機構を解除したときバネによって付勢されて開放位置を保持する構成とした求項１記載の換気装置。
【発明の詳細な説明】
【技術分野】
【０００１】
本発明は、送風機を組付けた本体枠の前面に装着した化粧グリルが開閉動する換気装置に関するものである。
【背景技術】
【０００２】
従来、この種の換気装置は、駆動機で化粧グリルが開閉動するようにしたものが知られている（例えば、特許文献１参照）。
【０００３】
以下、その換気装置について図６および図７を参照しながら説明する。
【０００４】
図に示すように、送風機１０１を組付けた風洞を構成する本体枠１０２の吸込側となる前面に、化粧グリル１０３を着脱可能に装着した換気装置が、本体枠１０２前面のベルマウスをなす吸込口１０６から本体枠１０２の後部の排気口へ向かう換気流を形成している。化粧グリル１０３は、前面の開放したグリル枠部１０７と、グリル枠部１０７の下端側において枢支され、駆動手段による回動によってグリル枠部１０７の外周部に略扇形の通風空間１０８を形成する可動パネル部１０９とにより構成されている。
【０００５】
グリル枠部１０７は、本体枠１０２の周側に嵌合する立上り部１１０に続く前面部を備え、この立上り部１１０は可動パネル部１０９を枢支する側の下部が最も高く構成され、反枢支側である上部に向かって円弧をなして高さが漸減している。グリル枠部１０７の前面部の下縁部１１１には、部分的に前方に突出していてその段差部１１２に可動パネル部１０９を枢支するためのスリット状の挿入口１１３が間隔をもって下向きに形成されている。また、可動パネル部１０９の下端縁には、グリル枠部１０７の挿入口１１３に遊嵌できる支持突縁１１８が突出して形成され、この支持突縁１１８を挿入口１１３に差込むことにより、支持突縁１１８を支点として可動パネル部１０９に回動可能に枢支されている。
【０００６】
可動パネル部１０９の背面とグリル枠部１０７の前面との間には弾性部材としてのバネ１２１が掛け渡され、このバネ１２１によって可動パネル部１０９はグリル枠部１０７の前面部に密着する状態に付勢されている。駆動手段は、駆動機１２２と、伝達機構とクランク１２３とにより構成されている。駆動機１２２はグリル枠部１０７の下部一側寄りに取付けられ、備え付けられている伝達機構を構成するワイヤ１２４を巻き取り、また繰り出すことができる。クランク１２３は略Ｍ型に構成され、グリル枠部１０７の前面における開放部の中央直下に両端が支持構造１２５により回動可能に支持されている。
【０００７】
そして、駆動機１２２がワイヤ１２４を巻き取り、クランク１２３を回動させることで、可動パネル部１０９の背面を押圧し、バネ１２１の付勢に抗して可動パネル部１０９を回動させ開かせるものである。
【先行技術文献】
【特許文献】
【０００８】
【特許文献１】特開２０００−３４６４１１号公報
【発明の概要】
【発明が解決しようとする課題】
【０００９】
このような従来の換気装置においては、可動パネルを開閉するために駆動機やクランクといった駆動機構を必要とし、構造が複雑になるという課題を有していた。
【００１０】
そこで本発明は、上記従来の課題を解決するものであり、簡単な構造で可動パネルを開閉できる換気装置を提供することを目的とする。
【課題を解決するための手段】
【００１１】
そして、この目的を達成するために、換気装置本体に装着される換気ルーバーを、前面を開口したルーバー枠と、このルーバー枠の下部で軸支され、ルーバー枠の前面を覆う可動ルーバーとで構成し、前記可動ルーバーが前記ルーバー枠を塞ぐ位置において、前記可動ルーバーの重心位置から前記壁面までの水平距離が前記軸支部から前記壁面までの水平距離よりも大きくし、前記可動ルーバーが前記ルーバー枠を塞ぐ位置で前記可動ルーバーに設けた保持部を直接保持し、さらに解除する保持解除機構を設けたものであり、これにより所期の目的を達成するものである。
【発明の効果】
【００１２】
本発明によれば、換気装置本体に装着される換気ルーバーを、前面を開口したルーバー枠と、このルーバー枠の下部で軸支され、ルーバー枠の前面を覆う可動ルーバーとで構成し、前記可動ルーバーが前記ルーバー枠を塞ぐ位置において、前記可動ルーバーの重心位置から前記壁面までの水平距離が前記軸支部から前記壁面までの水平距離よりも大きくし、前記可動ルーバーが前記ルーバー枠を塞ぐ位置で前記可動ルーバーに設けた保持部を直接保持し、さらに解除する保持解除機構を設けたという構成にしたことにより、可動ルーバーはルーバー枠を塞ぐ位置では前記可動ルーバーに設けた保持部が前記保持解除機構により保持されてルーバーが閉まり、前記保持解除機構により保持が解除されると可動ルーバーの自重により軸支部を軸に可動ルーバーが回動して開くことにとなるので、駆動機構を必要とせず、簡単な構造で可動パネルを開閉できる換気装置を提供できるという効果を得ることができる。
【図面の簡単な説明】
【００１３】
【図１】本発明の実施の形態１の換気装置の可動ルーバーが閉じた状態を示す断面図
【図２】同換気ルーバーを裏側から示す斜視図
【図３】同換気装置の可動ルーバーが閉じた状態を示す断面図
【図４】同換気装置の可動ルーバーが開いた状態を示す断面図（レバー２６を押した状態を示す図）
【図５】本発明の実施の形態２の換気装置の可動ルーバーが開いた状態を示す断面図
【図６】従来の換気装置の可動ルーバーが開いた状態を示す断面図
【図７】従来の換気装置の正面図
【発明を実施するための形態】
【００１４】
本発明の請求項１記載の換気装置は、換気装置本体に装着される換気ルーバーを、前面を開口したルーバー枠と、このルーバー枠の下部で軸支され、ルーバー枠の前面を覆う可動ルーバーとで構成し、前記可動ルーバーが前記ルーバー枠を塞ぐ位置において、前記可動ルーバーの重心位置から前記壁面までの水平距離が前記軸支部から前記壁面までの水平距離よりも大きくし、前記可動ルーバーの裏面には、前記ルーバー枠に設けた保持解除機構に直接係合する保持部を設けたものである。
【００１５】
これにより、前記可動ルーバーが前記ルーバー枠を塞ぐ位置で前記可動ルーバーに設けた保持部が前記保持解除機構により保持されて可動ルーバーが閉まり、保持解除機構により前記保持部の保持が解除されると可動ルーバーの自重により軸支部を軸に可動ルーバーが回動して開くことにとなるので、駆動機構を必要とせず、簡単な構造で可動パネルを開閉できる換気装置を提供できるという効果を奏する（請求項１）。
【００１６】
また、前記可動ルーバーの裏面に設けた保持部の先端にフック形状を形成し、前記保持解除機構は前記保持部を保持するように先端にフック形状を形成し、前記ルーバー枠に軸支される中間支点を介して他端をレバーとした構成としたものである。
【００１７】
これにより、前記レバーの操作により前記中間支点を軸に前記保持解除機構が回動することで、前記フックが外れて前記可動ルーバーが前方へ倒れることとなるので、駆動機構を必要とせず、簡単な構造で可動パネルを開閉でき、可動ルーバーをレバーで簡単に開くことができる換気装置を提供できるという効果を奏する（請求項２）。
【００１８】
また、前記レバーを前記ルーバー枠の下面中央付近に設けた構成としたものである。これにより、高所に設置した可動ルーバーを下部からレバーで開くことができる換気装置を提供できるという効果を奏する（請求項３）。
【００１９】
また、前記保持解除機構は、正規の位置において前記可動ルーバーの裏面に設けた保持部を保持し、前記レバーを操作し前記保持部を解除した後、正規の位置に復帰するように、前記保持解除機構にスプリングを設けたものである。
【００２０】
これにより、可動ルーバーを閉じる際に保持部の先端に設けたフック形状が保持解除機構に設けたフック形状に接触すると、保持解除機構が回動し、保持部に設けたフック形状が保持解除機構に設けたフック形状を押し下げながら移動していき、可動ルーバーが前記ルーバー枠を塞ぐ位置に達すると、保持解除機構が正規の位置に復帰し保持部に設けたフック形状が保持されることとなり、前記レバーの操作をすることなく可動ルーバーを容易に閉じることができるいう効果を奏する（請求項４）。
【００２１】
また、前記可動ルーバーは、前記保持解除機構を解除したときバネによって付勢されて開放位置を保持する構成としたものである。これにより、可動ルーバーが開いた状態では、バネの反発力により可動ルーバーは押えつけられ、可動ルーバーのバタツキや振動が抑えられるため、異音が抑えられ安定した換気性能が得ることができる。さらに、可動ルーバーを開く時は、バネの反発力も加わるため、よりスムーズに開くことができるという効果を奏する（請求項５）。
【００２２】
以下、本発明の実施の形態について図面を参照しながら説明する。
【００２３】
（実施の形態１）
図１に示すように、室内１と室外２を隔てる壁３を導通する貫通孔４が開口されていて通風路を形成し、この貫通孔４には、換気装置本体５が装着されている。この換気装置本体５は、風洞部６とフランジ部７で構成され、この風洞部６は円筒状であり、風洞部６内にはモータ支持部８が形成されている。このモータ支持部８にモータ９が取り付けられ、そのモータ軸１０に屋外から屋内に送風するファン１１が取り付けられている。一方、本体のフランジ部７は風洞部６の室内１側の開口部の口縁部に半径方向に略正方形に張り出して形成されたものであり、壁３に端面が当接するように背面側へ突出した立上り部１２が設けられている。
【００２４】
換気ルーバー１３は、換気装置本体５の立上り部１２に嵌合するように装着されるルーバー枠１４とルーバー枠１４の前面を覆う可動ルーバー１５で構成される。ルーバー枠１４の上部側壁１６の立ち上がり寸法はルーバー枠１４の下部側壁１７の立ち上がり寸法よりも大きく、ルーバー枠１４の前面にはルーバー枠１４の開口部１８が開口されており、ルーバー枠１４の下部には、壁３と平行となる可動ルーバー軸１９が形成され、可動ルーバー１５を軸支させている。
【００２５】
可動ルーバー１５は、下方に向うにつれて壁３側に近づく略円弧状の断面形状を形成してルーバー枠１４の前面を覆い、可動ルーバー１５の重心位置Ｗ１から壁３の室内側表面までの水平距離Ｌ１は、可動ルーバー１５の軸支部である可動ルーバー軸１９から壁３の室内側表面までの水平距離Ｌ２までの寸法より大きい。
【００２６】
可動ルーバー１５の裏側（背面側）には、先端を下側に屈曲させたフック（保持部フック２３）を有した保持部２２が設けられている。そして、ルーバー枠１４側には、保持部フック２３と係合する保持解除フック２５を有する保持解除機構２４が設けられている。
【００２７】
保持解除機構２４は、下端をレバー２６とし、上下の中間部分（中間支点２７）でルーバー枠１４に軸支されている。そして、レバー２６の操作により、保持解除フック２５が上下に動くのである。
【００２８】
保持解除機構２４は、保持部フック２３と保持解除フック２５とが係合しあう位置を正規の位置とし、レバー２６の操作後、正規の位置に復帰するようスプリング３１が装着されている。
【００２９】
換気ルーバー１３について、図２〜図４でさらに説明する。なお、図２〜図４において図１と同様の構成要素については同一の符号を付し、その詳細な説明は省略する。
【００３０】
可動ルーバー１５の背面側には、可動ルーバー軸１９を嵌合して可動ルーバー１５を軸支する爪２０ａ、２０ｂが形成され、可動ルーバー１５を回動可能に支えている。ルーバー枠１４には、ルーバー枠１４の開口部１８の左右にスリット２１が開口され、このスリット２１には可動ルーバー１５の裏面に設けた回動板２８ａ、２８ｂが挿入可能になっている。この回動板２８ａ、２８ｂは、ルーバー枠１４に当接する回動板突起２９と回動板側片３０とで形成されている。
【００３１】
従って、可動ルーバー１５は、軸支部である可動ルーバー軸１９を中心に上部が前方に倒れて開く構造である。可動ルーバー１５を開放するときには、その回動につれて回動板２８ａ、２８ｂがルーバー枠１４から前方へ突出し、回動板突起２９がルーバー枠１４の裏面に当接して保持されることとなる。言い換えれば、可動ルーバー１５の上部の開口度合いは、回動板２８ａ、２８ｂの形状で設計することができる。
【００３２】
ここで、本願発明の最も特徴的な部分について説明する。
【００３３】
可動ルーバー１５の裏面に設けられた保持部２２は、の先端に保持部フック２３が形成され、保持解除機構２４の先端に形成された保持解除フック２５と係合し、可動ルーバーは、ルーバー枠１４を塞ぐ位置で保持される。また、保持解除機構２４は、中間支点２７をルーバー枠１４に設けたレバー軸受部３２に軸支され、その中間支点２７を介して他端にレバー２６が設けられている。レバー２６は、ルーバー枠１４の下面中央付近に導出されている。さらに、レバー２６を操作し保持部２２を解除した後、正規の位置に復帰するように、一端をルーバー枠１４に固定したスプリング３１が装着されている。
【００３４】
このような構成でその動作を説明する。図３は、保持部２２（保持部フック２３）と保持解除機構２４（保持解除フック２５）とが係合して可動ルーバー１５を保持した状態である。この状態で、レバー２６を壁方向に押すと、図４に示すように保持解除機構２４は、中間支点２７を軸に回動し、保持部フック２３と保持解除フック２５の係合状態が解除されて、可動ルーバー１５は自重により軸支部（可動ルーバー軸１９）を軸に回動して開くことにとなる。保持解除機構２４は、レバー２６を操作し保持部２２を解除した後、保持解除機構２４に装着されたスプリング３１に引張られることにより正規の位置、すなわち保持部フック２３と保持解除フック２５とが係合する位置に復帰する。
【００３５】
次に、可動ルーバー１５を手で押しながら閉じる場合を説明する。可動ルーバー１５を正面側から押して閉じていくと、保持部２２の先端に設けた保持部フック２３が保持解除機構２４に設けた保持解除フック２５に接触する。すると、保持解除機構２４が回動し、保持部２２に設けた保持部フック２３が保持解除機構２４に設けた保持解除フック２５を押し下げながら移動していく。そして、可動ルーバー１５が前記ルーバー枠１４を塞ぐ位置に達すると、保持解除機構２４が正規の位置に復帰し保持部２２に設けた保持部フック２３が保持されることとなり、可動ルーバー１５は、閉じた状態を保持されることになる。
【００３６】
さらに、ルーバー枠１４の下面中央付近に導出したことにより、高所に設置した可動ルーバー１５を、下部からレバー２６押すだけで開くことができ、また可動ルーバー１５の下部を直接手で押していくだけで閉じることができることなる。
【００３７】
（実施の形態２）
図５に示すように、可動ルーバー１５は、保持解除機構２４を解除したとき、ルーバー枠１４に挿入されて板バネ３３によって付勢されて開放位置を保持する構成としたものである。これにより、可動ルーバー１５が開いた状態では、バネの反発力により可動ルーバー１５は押えつけられ、可動ルーバー１５のバタツキや振動が抑えられることとなる。さらに、可動ルーバー１５を開く時は、バネの反発力も加わるため、よりスムーズに開くことができる。
【産業上の利用可能性】
【００３８】
本発明にかかる換気装置、換気装置本体に装着される換気ルーバーを、前面を開口したルーバー枠と、このルーバー枠の下部で軸支され、ルーバー枠の前面を覆う可動ルーバーとで構成し、複雑な駆動機構を必要とせず、簡単な構造で可動ルーバーを開閉可能なため、あらゆる送風機を組付けた本体枠の前面に装着した化粧グリルが開閉動する換気装置等として有用である。
【符号の説明】
【００３９】
１      室内
２      室外
３      壁
４      貫通孔
５      換気装置本体
６      風洞部
７      フランジ部
８      モータ支持部
９      モータ
１０    モータ軸
１１    ファン
１２    立上り部
１３    換気ルーバー
１４    ルーバー枠
１５    可動ルーバー
１６    上部側壁
１７    下部側壁
１８    開口部
１９    可動ルーバー軸
２０ａ  爪
２０ｂ  爪
Ｗ１    重心位置
２１    スリット
２２    保持部
２３    保持部フック
２４    保持解除機構
２５    保持解除フック
２６    レバー
２７    中間支点
２８ａ  回動板
２８ｂ  回動板
２９    回動板突起
３０    回動板側片
３１    スプリング
３２    レバー軸受部
３３    板バネ
【図１】
2012255620.tif 000003
【図２】
2012255620.tif 000004
【図３】
2012255620.tif 000005
【図４】
2012255620.tif 000006
【図５】
2012255620.tif 000007
【図６】
2012255620.tif 000008
【図７】
2012255620.tif 000009